(57)【要約】【課題】２０１１年には地上アナログ放送が終了する予定であり、地上アナログ放送が終了した後に利用者が地上アナログ放送を受信しようとしても当然、受信できない。このような場合、従来のように単に使用していないとの理由のみでチューナへの電源供給の制御を行なってしまうと、地上アナログ放送がすでに終了しているために受信できないということに気が付かず、例えば受信装置の故障等によって受信できないと誤解を招く可能性がある。【解決手段】地上アナログ放送用チューナとその他の放送用チューナを有するＡＶ装置であって、利用者によって選択されたチューナが地上アナログ放送用チューナであり、かつ地上アナログ放送用チューナが最後に利用されてからの経過時間が所定時間以上であった場合には、所定のメッセージを出力して利用者に注意を促すことが可能なＡＶ装置を提案する。【選択図】図１
2008035148.tif 000002
【特許請求の範囲】
【請求項１】
地上アナログ放送用チューナと、
その他の放送用チューナと、
利用者が利用するチューナの選択を受付ける選択受付部と、
地上アナログ放送用チューナが最後に利用されてからの経過時間が所定時間以上であるか判断する判断部と、
選択受付部にて選択されたチューナが地上アナログ放送用チューナであり、判断結果が所定時間以上経過しているとの判断結果である場合に、所定のメッセージを出力するメッセージ出力部と、
を有するＡＶ装置。
【請求項２】
メッセージ出力部は、
地上アナログ放送用チューナを選択することの適否の確認入力を促すメッセージを出力するための適否確認メッセージ出力手段を有し、
前記適否確認メッセージに応じた入力を受付ける適否受付部を有する請求項１に記載のＡＶ装置。
【請求項３】
適否確認メッセージ出力手段から出力されるメッセージに応じて利用者が地上アナログ放送用チューナを選択することを適とする入力を適否受付部が受付けた場合には、地上アナログ放送用チューナの電源を投入する地上アナログ放送用チューナ第一電源投入部を有する請求項２に記載のＡＶ装置。
【請求項４】
選択受付部に対して利用者が地上アナログ放送用チューナを選択する入力をした場合には、地上アナログ放送用チューナの電源を投入する地上アナログ放送用チューナ第二電源投入部を有する請求項１又は２に記載のＡＶ装置。
【請求項５】
適否確認メッセージ出力手段から出力されるメッセージに応じて利用者が地上アナログ放送用チューナを選択することを否とする入力を適否受付部が受付けた場合には、地上アナログ放送用チューナの電源を切断する地上アナログ放送用チューナ第一電源切断部を有する請求項２に従属する請求項４に記載のＡＶ装置。
【請求項６】
地上アナログ放送用チューナと、その他の放送用チューナと、を有するＡＶ装置の動作方法であって、
利用者が利用するチューナの選択を受付ける選択受付ステップと、
地上アナログ放送用チューナが最後に利用されてからの経過時間が所定時間以上であるか判断する判断ステップと、
選択受付ステップにて選択されたチューナが地上アナログ放送用チューナであり、判断結果が所定時間以上経過しているとの判断結果である場合に、所定のメッセージを出力するメッセージ出力ステップと、
を有するＡＶ装置の動作方法。
【請求項７】
メッセージ出力ステップは、
地上アナログ放送用チューナを選択することの適否の確認入力を促すメッセージを出力するための適否確認メッセージ出力サブステップを有し、
前記適否確認メッセージに応じた入力を受付ける適否受付ステップを有する請求項６に記載のＡＶ装置の動作方法。
【請求項８】
適否確認メッセージ出力サブステップにて出力されるメッセージに応じて利用者が地上アナログ放送用チューナを選択することを適とする入力を適否受付ステップにて受付けた場合には、地上アナログ放送用チューナの電源を投入する地上アナログ放送用チューナ第一電源投入ステップを有する請求項７に記載のＡＶ装置の動作方法。
【請求項９】
選択受付ステップにて利用者が地上アナログ放送用チューナを選択する入力をした場合には、地上アナログ放送用チューナの電源を投入する地上アナログ放送用チューナ第二電源投入ステップを有する請求項６又は７に記載のＡＶ装置の動作方法。
【請求項１０】
適否確認メッセージ出力サブステップにて出力されるメッセージに応じて利用者が地上アナログ放送用チューナを選択することを否とする入力を適否受付ステップにて受付けた場合には、地上アナログ放送用チューナの電源を切断する地上アナログ放送用チューナ第一電源切断ステップを有する請求項７に従属する請求項９に記載のＡＶ装置の動作方法。
【発明の詳細な説明】
【技術分野】
【０００１】
地上アナログ放送用チューナとその他の放送用チューナを有するＡＶ装置に関する。
【背景技術】
【０００２】
近年、地上波放送や衛星放送を受信するための複数のチューナを有する受信装置が存在する。このような受信装置は、通常、チューナごとに電源のＯＮ／ＯＦＦが可能となっており、例えば特許文献１においては、使用していないチューナを識別し、使用していないチューナへは電源供給を行なわないことで不要な消費電力を抑える技術が開示されている。
【特許文献１】特開平１０−１０８１１５号公報
【発明の開示】
【発明が解決しようとする課題】
【０００３】
ところで、２０１１年には地上アナログ放送が終了する予定となっており、地上アナログ放送が終了した後に利用者が地上アナログ放送を受信しようとしても当然のことながら受信することはできない。このような場合、単に使用していないとの理由のみでチューナへの電源供給の制御を行なってしまうと、地上アナログ放送がすでに終了しているために受信できないということに気が付かず、例えば受信装置の故障等によって受信できないとの誤解を招く可能性もある。
【課題を解決するための手段】
【０００４】
そこで、本発明においては、地上アナログ放送用チューナとその他の放送用チューナを有するＡＶ装置であって、利用者によって選択されたチューナが地上アナログ放送用チューナであり、かつ地上アナログ放送用チューナが最後に利用されてからの経過時間が所定時間以上であった場合には、所定のメッセージを出力して利用者に注意を促すことが可能なＡＶ装置を提案する。また、出力するメッセージは地上アナログ放送用チューナを選択することの適否の確認入力を促すメッセージであって、利用者等から適否確認メッセージに応じた入力を受付けるようになっていてもよい。また、出力されたメッセージに応じて利用者によって地上アナログ放送用チューナを選択するとの入力がなされた場合には、地上アナログ放送用チューナの電源を投入するようになっていてもよい。あるいは、最初に利用者によって地上アナログ放送用チューナが選択された際に、地上アナログ放送用チューナの電源を投入するようになっていてもよい。また、その場合に出力されたメッセージに応じて利用者によって地上アナログ放送用チューナを選択しないとの入力がなされた場合には、地上アナログ放送用チューナの電源を切断するようになっていてもよい。
【発明の効果】
【０００５】
本発明のＡＶ装置によれば、例えば、利用者が地上アナログ放送の終了後など長期間に渡り地上アナログ放送を利用していなかったにもかかわらず、地上アナログ放送用チューナを選択して地上アナログ放送を視聴しようとした場合等に、所定のメッセージによって利用者に注意を促すことができる。これにより、利用者が、地上デジタル放送が受信できない等と勘違いすることを防ぎ、また、地上アナログ放送が受信できないことにより表示画面上にいわゆる砂あらしが表示されて見苦しい等の不都合を避けることができる。
【発明を実施するための最良の形態】
【０００６】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、６などについて説明する。実施形態２は、主に請求項２、７などについて説明する。実施形態３は、主に請求項３、８などについて説明する。実施形態４は、主に請求項４、９などについて説明する。実施形態５は、主に請求項５、１０などについて説明する。
（実施形態１）
【０００７】
（実施形態１：概要）本実施形態は、地上アナログ放送用チューナとその他の放送用チューナを有するＡＶ装置であって、利用者によって選択されたチューナが地上アナログ放送用チューナであり、かつ地上アナログ放送用チューナが最後に利用されてからの経過時間が所定時間以上であった場合には、所定のメッセージを出力して利用者に注意を促すことが可能なＡＶ装置について説明する。
【０００８】
図１は、本発明の概念図である。例えば、ＡＶ装置（０１０１）の利用者がＡＶ装置のリモコン等（０１０２）によって地上アナログ放送用チューナを選択した場合に、地上アナログ放送用チューナが最後に利用されてからの経過時間が所定時間以上であった場合には、所定のメッセージ（０１０３）を表示画面等に表示する。利用者はこのメッセージを確認することにより、誤って地上アナログ放送用チューナを選択したこと等に気付くことができる。
【０００９】
（実施形態１：構成）本実施形態に係るＡＶ装置の機能ブロック図を図２に例示する。ＡＶ装置（０２００）は、「地上アナログ放送用チューナ」（０２０１）と、「他の放送用チューナ」（０２０２）と、「選択受付部」（０２０３）と、「判断部」（０２０４）と、「メッセージ出力部」（０２０５）と、を有する。
【００１０】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。さらに具体的には、図２０は一般的なコンピュータの構成を例示する図でありコンピュータが主にＣＰＵ（２０１０）、入出力インタフェース（Ｉ／Ｏ）（２０２０）、ハードディスク（以下、「ＨＤＤ」という）（２０３０）、一時記憶メモリ（ＲＡＭ）（２０４０）、ＲＯＭ（２０５０）等から構成されることを示しているが、本件発明に係るＡＶ装置は図２と同様の構成により実現可能である。（明細書の全体を通じて同様である。）
【００１１】
「地上アナログ放送用チューナ」（０２０１）は、地上アナログ放送を受信するためのチューナである。また、「その他の放送用チューナ」（０２０２）は、地上アナログ放送以外の放送を受信するためのチューナであり、例えば、地上デジタル放送、ＢＳアナログ放送、ＢＳデジタル放送、ＣＳデジタル放送、等を受信するためのチューナが該当する。
【００１２】
「選択受付部」（０２０３）は、利用者が利用するチューナの選択を受付ける機能を有する。「チューナの選択」は、例えばＡＶ装置本体やＡＶ装置のリモコンに備えられているチューナ選択ボタン等を利用者が押下することでチューナの選択がなされる場合が想定される。さらに具体的には、利用者がチューナ選択ボタン等を押下すると、押下されたボタンは、例えば図３に例示する「ｓｅｌｅｃｔｅｄ＿ｔｕｎｅｒ＝‘Ａ１’」というようなデータで表される。ここで、「ｓｅｌｅｃｔｅｄ＿ｔｕｎｅｒ」とは選択されたチューナを表すプログラム上の変数であり、例えば、選択されたチューナが地上アナログ放送用チューナであれば‘Ａ１’、ＢＳアナログ放送用チューナであれば‘Ａ２’、地上デジタル放送用チューナであれば‘Ｄ１’、というような値を取り得るとする。選択受付部の具体的な処理としては、例えば利用者によってチューナ選択ボタン等が押下されることにより、ＲＡＭ等の所定の記憶領域に格納されている変数ｓｅｌｅｃｔｅｄ＿ｔｕｎｅｒの値が変更される。また、選択受付部はこのような処理をＣＰＵに実行させるためのプログラムを含んでいてもよい。
【００１３】
「判断部」（０２０４）は、地上アナログ放送用チューナが最後に利用されてからの経過時間が所定時間以上であるか判断する機能を有する。「地上アナログ放送用チューナが最後に利用されてからの経過時間」とは、地上アナログ放送用チューナが最後に使用されて実際に放送番組等が視聴された際の利用開始時刻（電源をＯＮした時刻など）を起点としてもよいし、利用終了時刻（電源をＯＦＦした時刻など）を起点としてもよい。経過時間は、例えばＡＶ装置内のＨＤＤ等の所定の記憶領域に前回地上アナログ放送用チューナを利用した際の日時が記憶されており、その前回の日時と、現在日時とをＲＡＭやＨＤＤ等の所定の記憶領域から読出すことによって算出することができる。現在日時は、例えば一般的なコンピュータが有しているハードウェアクロックやシステムクロックをＡＶ装置が有している場合には、それらを利用してもよいし、別途、判断部専用の計時機能を有していてもよい。また、「所定時間」は、１年程度が適当であると思われるが、この値は固定値であってもよいし、ユーザ等によって変更可能となっていてもよい。
【００１４】
図３は、判断部における処理の具体例を示す。まず、選択受付部（０３０１）においては前述したように「ｓｅｌｅｃｔｅｄ＿ｔｕｎｅｒ＝‘Ａ１’」というデータが取得されたとする。すなわち、選択されたチューナは地上アナログ放送用チューナである。次に、判断部（０３０２）において、ＨＤＤ等の所定の記憶領域から前回利用日時として「ｌａｓｔ＿ｔｉｍｅ＝‘２０１１．３．２０  ＰＭ８：００’」というデータを取得する。ここで「ｌａｓｔ＿ｔｉｍｅ」とは前回利用日時を表すプログラム上の変数である。すなわち、前回利用日時は、‘２０１１年３月２０日  ＰＭ８：００’である。さらに、現在日時として、ＲＡＭやＨＤＤ等の所定の記憶領域から「ｎｏｗ＿ｔｉｍｅ＝‘２０１２．５．２３  ＰＭ６：００’」というデータを取得する。ここで「ｎｏｗ＿ｔｉｍｅ」とは現在日時を表すプログラム上の変数である。すなわち、現在日時は、‘２０１２年５月２３日  ＰＭ６：００’である。この両者を比較すると、経過時間は、約１年２ヶ月である。また、ここでの「所定時間」が１年であるとすると、比較結果としては地上アナログ放送用チューナが最後に利用されてからの経過時間は所定時間以上であるとの比較結果となる。この結果は、例えば「ｒｅｓｕｌｔ＝１」というデータで表される。「ｒｅｓｕｌｔ」は、地上アナログ放送用チューナが最後に利用されてからの経過時間が所定時間以上であるかどうかの判断結果を表すプログラム上の変数であり、ここでは値が‘１’であれば所定時間以上であるとの判断結果を表し、‘０’であれば所定時間未満であるとの判断結果を表すものとする。すなわち、ＲＡＭ等の所定に記憶領域に格納されている変数ｒｅｓｕｌｔの値が１又は０に変更されることをもって判断部での処理がなされたこととなる。また、判断部はこのような処理をＣＰＵに実行させるためのプログラムを含んでいてもよい。なお、判断部での処理は、選択受付部において地上アナログ放送用チューナが選択された場合のみ実行されるようになっていてもよい（すなわち変数ｓｅｌｅｃｔｅｄ＿ｔｕｎｅｒの値が‘Ａ１’である場合）。なぜならば、後述するようにメッセージ出力部においては選択受付部にて選択されたチューナが地上アナログ放送用チューナである場合にのみ処理を行なうため、地上アナログ放送用チューナ以外のチューナが選択された場合には、上記のような判断部における処理は無駄になってしまう。よって、地上アナログ放送用チューナが選択された場合にのみ判断部での処理を行なうことで、地上アナログ放送用チューナ以外のチューナが選択された場合に判断部での処理を省くことができるため処理負荷が軽減される。
【００１５】
「メッセージ出力部」（０２０５）は、選択受付部（０２０３）にて選択されたチューナが地上アナログ放送用チューナであり、判断結果が所定時間以上経過しているとの判断結果である場合に、所定のメッセージを出力する機能を有する。「所定のメッセージ」とは、具体的には、前回地上アナログ放送用チューナが利用されてから所定時間が経過していることをユーザに警告するためのメッセージであり、例えば図５に例示するようなメッセージが想定でされる。また、メッセージの出力方法としては、表示画面上へ表示する場合や、音声によって出力する場合等が考えられる。また、メッセージはＨＤＤ等の所定の記憶領域に格納されており、例えばメッセージを表示画面上へ表示する場合には、ＨＤＤ等の所定の記憶領域からメッセージを読出しグラフィックメモリ等へ展開されてから表示画面等へ表示されることとなる。
【００１６】
図４は、メッセージ出力部における処理の具体例を示す。メッセージ出力部では、例えば変数ｓｅｌｅｃｔｅｄ＿ｔｕｎｅｒの値が‘Ａ１’であるか、さらに、変数ｒｅｓｕｌｔの値が１であるかをチェックする。これらの条件を満たす場合には、例えば「ｍｅｓｓａｇｅ＝１」というデータにより判断結果が表される。ここで「ｍｅｓｓａｇｅ」はメッセージを出力するか否かを表す変数であり、値が‘１’である場合にはメッセージを出力することを表し、値が‘０’である場合にはメッセージを出力しないことを表す。すなわち、両条件を満たす場合にはメッセージを出力するとしてＲＡＭ等の所定の記憶領域に格納されている変数ｍｅｓｓａｇｅの値を１に変更し、両条件を満たさない場合にはメッセージを出力しないとしてＲＡＭ等の所定の記憶領域に格納されている変数ｍｅｓｓａｇｅの値を０に変更する。さらに、変数ｍｅｓｓａｇｅの値が１に変更されたことをトリガーとして図５に例示したような所定のメッセージを表示画面等に出力する。また、メッセージ出力部はこのような処理をＣＰＵに実行させるためのプログラムを含んでいてもよい。
【００１７】
（実施形態１：処理の流れ）図６は、本実施形態に係るＡＶ装置における処理の流れを示すフロー図を例示する。（ａ）は選択受付部にて選択されたチューナがいずれのチューナであっても判断部における処理を行なう場合を示し、（ｂ）は選択されたチューナが地上アナログ放送用チューナである場合にのみ判断部における処理を行なう場合を示す。
【００１８】
まず、（ａ）のフロー図について説明する。
【００１９】
最初に、ステップＳ０６０１ａにおいて利用者が利用するチューナの選択を受付ける。この処理は、主に選択受付部によって実行される。次に、ステップＳ０６０２ａにおいて地上アナログ放送用チューナが最後に利用されてからの経過時間が所定時間以上であるか判断する。ここでの判断が所定時間以上であるとの判断結果であった場合にはステップＳ０６０３ａに移行する。ここでの判断が所定時間以上ではないとの判断であった場合には処理を終了する。この処理は、主に判断部によって実行される。次に、ステップＳ０６０３ａにおいて選択されたチューナは地上アナログ放送用チューナであるか判断する。ここでの判断が地上アナログ放送用チューナであるとの判断結果であった場合にはステップＳ０６０４ａに移行する。ここでの判断が地上アナログ放送用チューナではないとの判断であった場合には処理を終了する。この処理は、主にメッセージ出力部によって実行される。次に、ステップＳ０６０４ａにおいて所定のメッセージを出力する。この処理は、主にメッセージ出力部によって実行される。
【００２０】
次に、（ｂ）のフロー図について説明する。
【００２１】
最初に、ステップＳ０６０１ｂにおいて利用者が利用するチューナの選択を受付ける。この処理は、主に選択受付部によって実行される。次に、ステップＳ０６０２ｂにおいて選択されたチューナは地上アナログ放送用チューナであるか判断する。ここでの判断が地上アナログ放送用チューナであるとの判断結果であった場合にはステップＳ０６０３ｂに移行する。ここでの判断が地上アナログ放送用チューナではないとの判断であった場合には処理を終了する。次に、ステップＳ０６０３ｂにおいて地上アナログ放送用チューナが最後に利用されてからの経過時間が所定時間以上であるか判断する。ここでの判断が所定時間以上であるとの判断結果であった場合にはステップＳ０６０４ｂに移行する。ここでの判断が所定時間以上ではないとの判断であった場合には処理を終了する。この処理は、主に判断部によって実行される。次に、ステップＳ０６０４ｂにおいて所定のメッセージを出力する。この処理は、主にメッセージ出力部によって実行される。
【００２２】
なお、図６のフロー図は、計算機に実行させるプログラムの処理フロー図とみなすことも可能である。さらに、このようなプログラムをフレキシブルディスク等の媒体に記録することも可能である。（明細書の全体を通じて同様である。）
【００２３】
（実施形態１：効果）本実施形態に係るＡＶ装置は、例えば地上アナログ放送の終了後に長期間に渡り地上アナログ放送用チューナを利用していなかったにもかかわらず、利用者が勘違い等により地上アナログ放送用チューナを選択した場合等に、所定のメッセージによって利用者に注意を促すことができる。
（実施形態２）
【００２４】
（実施形態２：概要）本実施形態は、地上アナログ放送用チューナを選択することの適否の確認入力を促すメッセージを出力し、利用者等から適否確認メッセージに応じた入力を受付けることを特徴とするＡＶ装置について説明する。
【００２５】
（実施形態２：構成）本実施形態に係るＡＶ装置の機能ブロック図を図７に例示する。ＡＶ装置（０７００）は、「地上アナログ放送用チューナ」（０７０１）と、「他の放送用チューナ」（０７０２）と、「選択受付部」（０７０３）と、「判断部」（０７０４）と、「メッセージ出力部」（０７０５）と、「適否受付部」（０７０７）と、を有する。また、メッセージ出力部（０７０５）は、「適否確認メッセージ出力手段」（０７０６）を有する。「適否確認メッセージ出力手段」（０７０６）と「適否受付部」（０７０７）以外の構成要件については実施形態１と同様であるので、詳細な説明は省略する。
【００２６】
「適否確認メッセージ出力手段」（０７０６）は、地上アナログ放送用チューナを選択することの適否の確認入力を促すメッセージを出力するための機能を有する。図８は、地上アナログ放送用チューナを選択することの適否の確認入力を促すメッセージの具体例を示す。「適否の確認入力を促す」メッセージであるため、図８の例のように利用者がアナログ放送用チューナを選択してよいか否かをＡＶ装置に対して返答できるように、「はい」「いいえ」などのボタンが表示される場合等が想定される。
【００２７】
「適否受付部」（０７０７）は、前記適否確認メッセージに応じた入力を受付ける機能を有する。「前記適否確認メッセージ」とは、適否確認メッセージ出力手段（０７０６）にて出力される地上アナログ放送用チューナを選択することの適否の確認入力を促すメッセージを指す。「入力を受付ける」とは、例えば図８に例示した適否確認メッセージに対してマウスやトラックボール等のポインティングデバイスや、タッチパネル等の入力インタフェースによって「はい」又は「いいえ」のボタンを選択したり、ＡＶ装置やリモコンに備えられている選択ボタン等を押下することによって「はい」又は「いいえ」の選択する場合が想定される。
【００２８】
図９は、適否受付部における処理の具体例を示す。まず、適否確認メッセージ出力手段（０９０１）において変数ｍｅｓｓａｇｅの値が‘１’に変更されたことをトリガーとして図８に例示したような適否確認メッセージを表示画面等に出力する。次に、適否受付部（０９０２）では、利用者により「はい」が選択された場合、すなわち地上アナログ放送用チューナを選択するとの入力を受付けた場合には、その入力は、例えば「ｓｅｌｅｃｔ＿ｆｌａｇ＝１」というようなデータによって表される。また、利用者により「いいえ」が選択された場合、すなわち地上アナログ放送用チューナを選択しないとの入力を受付けた場合には、その入力は、例えば「ｓｅｌｅｃｔ＿ｆｌａｇ＝０」というようなデータによって表される。ここで「ｓｅｌｅｃｔ＿ｆｌａｇ」は地上アナログ放送用チューナを選択することの適否（図８における「はい」又は「いいえ」）を表すプログラム上の変数であり、値が‘１’である場合には地上アナログ放送用チューナを選択することが‘適’であることを表し、値が‘０’である場合には地上アナログ放送用チューナを選択することが‘否’であることを表す。すなわち、適否受付部の具体的な処理としては、適否確認メッセージに応じて選択ボタン等の押下が行なわれたことをトリガーとしてＲＡＭ等の所定の記憶領域に格納されている変数ｓｅｌｅｃｔ＿ｆｌａｇの値を‘１’又は‘０’に変更する。また、適否受付部はこのような処理をＣＰＵに実行させるためのプログラムを含んでいてもよい。
【００２９】
（実施形態２：処理の流れ）図１０は、本実施形態に係るＡＶ装置における処理の流れを示すフロー図を例示する。（ａ）は選択受付部にて選択されたチューナがいずれのチューナであっても判断部における処理を行なう場合を示し、（ｂ）は選択されたチューナが地上アナログ放送用チューナである場合にのみ判断部における処理を行なう場合を示す。
【００３０】
まず、（ａ）のフロー図について説明する。
【００３１】
最初に、ステップＳ１００１ａにおいて利用者が利用するチューナの選択を受付ける。この処理は、主に選択受付部によって実行される。次に、ステップＳ１００２ａにおいて地上アナログ放送用チューナが最後に利用されいからの経過時間が所定時間以上であるか判断する。ここでの判断が所定時間以上であるとの判断結果であった場合にはステップＳ１００３ａに移行する。ここでの判断が所定時間以上ではないとの判断であった場合には処理を終了する。この処理は、主に判断部によって実行される。次に、ステップＳ１００３ａにおいて選択されたチューナは地上アナログ放送用チューナであるか判断する。ここでの判断が地上アナログ放送用チューナであるとの判断結果であった場合にはステップＳ１００４ａに移行する。ここでの判断が地上アナログ放送用チューナではないとの判断であった場合には処理を終了する。この処理は、主にメッセージ出力部によって実行される。次に、ステップＳ１００４ａにおいて地上アナログ放送用チューナを選択することの適否の確認入力を促すメッセージを出力する。この処理は、主に適否確認メッセージ出力手段によって実行される。次に、ステップＳ１００５ａにおいて適否確認メッセージに応じた入力を受付ける。この処理は、主に適否受付部によって実行される。
【００３２】
次に、（ｂ）のフロー図について説明する。
【００３３】
最初に、ステップＳ１００１ｂにおいて利用者が利用するチューナの選択を受付ける。この処理は、主に選択受付部によって実行される。次に、ステップＳ１００２ｂにおいて選択されたチューナは地上アナログ放送用チューナであるか判断する。ここでの判断が地上アナログ放送用チューナであるとの判断結果であった場合にはステップＳ１００３ｂに移行する。ここでの判断が地上アナログ放送用チューナではないとの判断であった場合には処理を終了する。次に、ステップＳ１００３ｂにおいて地上アナログ放送用チューナが最後に利用されてからの経過時間が所定時間以上であるか判断する。ここでの判断が所定時間以上であるとの判断結果であった場合にはステップＳ１００４ｂに移行する。ここでの判断が所定時間以上ではないとの判断であった場合には処理を終了する。この処理は、主に判断部によって実行される。次に、ステップＳ１００４ｂにおいて地上アナログ放送用チューナを選択することの適否の確認入力を促すメッセージを出力する。この処理は、主に適否確認メッセージ出力手段によって実行される。次に、ステップＳ１００５ｂにおいて適否確認メッセージに応じた入力を受付ける。この処理は、主に適否受付部によって実行される。
【００３４】
（実施形態２：効果）本実施形態に係るＡＶ装置は、例えば地上アナログ放送の終了後に長期間に渡り地上アナログ放送用チューナを利用していなかったにもかかわらず、利用者が勘違い等により地上アナログ放送用チューナを選択した場合等に、適否確認メッセージを出力し、利用者に再度、地上アナログ放送用チューナを利用するか否かの確認を行なうことができる。
（実施形態３）
【００３５】
（実施形態３：概要）本実施形態は、出力されたメッセージに応じて利用者によって地上アナログ放送用チューナを選択するとの入力がなされた場合には、地上アナログ放送用チューナの電源を投入することを特徴とするＡＶ装置について説明する。
【００３６】
（実施形態３：構成）本実施形態に係るＡＶ装置の機能ブロック図を図１１に例示する。ＡＶ装置（１１００）は、「地上アナログ放送用チューナ」（１１０１）と、「他の放送用チューナ」（１１０２）と、「選択受付部」（１１０３）と、「判断部」（１１０４）と、「メッセージ出力部」（１１０５）と、「適否受付部」（１１０７）と、「地上アナログ放送用チューナ第一電源投入部」（１１０８）と、を有する。また、メッセージ出力部（１１０５）は、「適否確認メッセージ出力手段」（１１０６）を有する。「地上アナログ放送用チューナ第一電源投入部」（１１０８）以外の構成要件については実施形態２と同様であるので、詳細な説明は省略する。
【００３７】
「地上アナログ放送用チューナ第一電源投入部」（１１０８）は、適否確認メッセージ出力手段から出力されるメッセージに応じて利用者が地上アナログ放送用チューナを選択することを適とする入力を適否受付部が受付けた場合には、地上アナログ放送用チューナの電源を投入する機能を有する。「利用者が地上アナログ放送用チューナを選択することを適とする入力を適否受付部が受付けた」とは、利用者が地上アナログ放送用チューナを選択するとの入力を行なった場合を意味し、例えば図８に例示した適否確認メッセージにおいて「はい」が選択された場合等である。また、この際、変数ｓｅｌｅｃｔ＿ｆｌａｇの値が‘１’に変更される。すなわち、地上アナログ放送用チューナ第一電源投入部は、変数ｓｅｌｅｃｔ＿ｆｌａｇの値が‘１’に変更されたことをトリガーとして、地上アナログ放送用チューナの電源を投入する。
【００３８】
図１２は、地上アナログ放送用チューナ第一電源投入部における処理の具体例を示す。まず、適否受付部（１２０１）において変数ｓｅｌｅｃｔ＿ｆｌａｇの値が‘１’となったとする。すると、地上アナログ放送用チューナ第一電源投入部（１２０２）においては、まず変数ｓｅｌｅｃｔ＿ｆｌａｇの値が‘１’であるか‘０’であるかをチェックする。変数ｓｅｌｅｃｔ＿ｆｌａｇの値が‘１’である場合には地上アナログ放送用チューナの電源を投入する。また、変数ｓｅｌｅｃｔ＿ｆｌａｇの値が‘０’である場合には処理を行なわないこととなる。また、地上アナログ放送用チューナ第一電源投入部はこのような処理をＣＰＵに実行させるためのプログラムを含んでいてもよい。
【００３９】
（実施形態３：処理の流れ）図１３は、本実施形態に係るＡＶ装置における処理の流れを示すフロー図を例示する。（ａ）は選択受付部にて選択されたチューナがいずれのチューナであっても判断部における処理を行なう場合を示し、（ｂ）は選択されたチューナが地上アナログ放送用チューナである場合にのみ判断部における処理を行なう場合を示す。
【００４０】
まず、（ａ）のフロー図について説明する。
【００４１】
最初に、ステップＳ１３０１ａにおいて利用者が利用するチューナの選択を受付ける。この処理は、主に選択受付部によって実行される。次に、ステップＳ１３０２ａにおいて地上アナログ放送用チューナが最後に利用されてからの経過時間が所定時間以上であるか判断する。ここでの判断が所定時間以上であるとの判断結果であった場合にはステップＳ１３０３ａに移行する。ここでの判断が所定時間以上ではないとの判断であった場合には処理を終了する。この処理は、主に判断部によって実行される。次に、ステップＳ１３０３ａにおいて選択されたチューナは地上アナログ放送用チューナであるか判断する。ここでの判断が地上アナログ放送用チューナであるとの判断結果であった場合にはステップＳ１３０４ａに移行する。ここでの判断が地上アナログ放送用チューナではないとの判断であった場合には処理を終了する。この処理は、主にメッセージ出力部によって実行される。次に、ステップＳ１３０４ａにおいて地上アナログ放送用チューナを選択することの適否の確認入力を促すメッセージを出力する。この処理は、主に適否確認メッセージ出力手段によって実行される。次に、ステップＳ１３０５ａにおいて適否確認メッセージに応じた入力を受付ける。この処理は、主に適否受付部によって実行される。次に、ステップＳ１３０６ａにおいて地上アナログ放送用チューナを選択することを適とする入力が受付けられたかを判断する。ここでの判断が受付けたとの判断結果であった場合にはステップＳ１３０７ａに移行する。ここでの判断が受付けていないとの判断であった場合には処理を終了する。この処理は、主に地上アナログ放送用チューナ第一電源投入部によって実行される。次に、ステップＳ１３０７ａにおいて地上アナログ放送用チューナの電源を投入する。この処理は、主に地上アナログ放送用チューナ第一電源投入部によって実行される。
【００４２】
次に、（ｂ）のフロー図について説明する。
【００４３】
最初に、ステップＳ１３０１ｂにおいて利用者が利用するチューナの選択を受付ける。この処理は、主に選択受付部によって実行される。次に、ステップＳ１３０２ｂにおいて選択されたチューナは地上アナログ放送用チューナであるか判断する。ここでの判断が地上アナログ放送用チューナであるとの判断結果であった場合にはステップＳ１３０３ｂに移行する。ここでの判断が地上アナログ放送用チューナではないとの判断であった場合には処理を終了する。次に、ステップＳ１３０３ｂにおいて地上アナログ放送用チューナが最後に利用されてからの経過時間が所定時間以上であるか判断する。ここでの判断が所定時間以上であるとの判断結果であった場合にはステップＳ１３０４ｂに移行する。ここでの判断が所定時間以上ではないとの判断であった場合には処理を終了する。この処理は、主に判断部によって実行される。次に、ステップＳ１３０４ｂにおいて地上アナログ放送用チューナを選択することの適否の確認入力を促すメッセージを出力する。この処理は、主に適否確認メッセージ出力手段によって実行される。次に、ステップＳ１３０５ｂにおいて適否確認メッセージに応じた入力を受付ける。この処理は、主に適否受付部によって実行される。次に、ステップＳ１３０６ｂにおいて地上アナログ放送用チューナを選択することを適とする入力が受付けられたかを判断する。ここでの判断が受付けたとの判断結果であった場合にはステップＳ１３０７ｂに移行する。ここでの判断が受付けていないとの判断であった場合には処理を終了する。この処理は、主に地上アナログ放送用チューナ第一電源投入部によって実行される。次に、ステップＳ１３０７ｂにおいて地上アナログ放送用チューナの電源を投入する。この処理は、主に地上アナログ放送用チューナ第一電源投入部によって実行される。
【００４４】
（実施形態３：効果）本実施形態に係るＡＶ装置は、適否確認メッセージに応じて利用者が地上アナログ放送用チューナを利用するとの入力をした場合には、自動的に地上アナログ放送用チューナの電源が投入されるため、利用者が手動で地上アナログ放送用チューナの電源を入れる手間が省ける。
（実施形態４）
【００４５】
（実施形態４：概要）本実施形態は、選択受付部において利用者によって地上アナログ放送用チューナを選択する入力がなされた際に、地上アナログ放送用チューナの電源を投入することを特徴とするＡＶ装置について説明する。
【００４６】
（実施形態４：構成）本実施形態に係るＡＶ装置の機能ブロック図を図１４に例示する。ＡＶ装置（１４００）は、「地上アナログ放送用チューナ」（１４０１）と、「他の放送用チューナ」（１４０２）と、「選択受付部」（１４０３）と、「判断部」（１４０４）と、「メッセージ出力部」（１４０５）と、「地上アナログ放送用チューナ第二電源投入部」（１４０９）と、を有する。また、メッセージ出力部（１４０５）は適否確認メッセージ出力手段を、ＡＶ装置（１４００）は適否受付部を有していてもよい。すなわち、本実施形態に係るＡＶ装置の構成は、実施形態１又は２に係るＡＶ装置の構成に「地上アナログ放送用チューナ第二電源投入部」（１４０９）を加えた構成となっている。「地上アナログ放送用チューナ第二電源投入部」（１４０９）以外の構成要件については実施形態１又は２と同様であるので、詳細な説明は省略する。
【００４７】
「地上アナログ放送用チューナ第二電源投入部」（１４０９）は、選択受付部に対して利用者が地上アナログ放送用チューナを選択する入力をした場合には、地上アナログ放送用チューナの電源を投入する機能を有する。「選択受付部に対して利用者が地上アナログ放送用チューナを選択する入力をした」とは、すなわち、前述の例において変数ｓｅｌｅｃｔｅｄ＿ｔｕｎｅｒの値が‘Ａ１’となった場合である。すなわち、地上アナログ放送用チューナ第二電源投入部は、変数ｓｅｌｅｃｔｅｄ＿ｔｕｎｅｒの値が‘Ａ１’に変更されたことをトリガーとして、地上アナログ放送用チューナの電源を投入する。また、地上アナログ放送用チューナの電源が投入されてからメッセージ出力部又は適否確認メッセージ出力手段からメッセージが出力されるまでは、地上アナログ放送が終了している場合には放送が受信できないためにいわゆる砂あらしが表示されてしまうので、見苦しさを避けるために、例えば表示画面上にはブルーのスクリーンを表示しておくとよい。
【００４８】
図１５は、地上アナログ放送用チューナ第二電源投入部における処理の具体例を示す。まず、選択受付部（１５０１）において変数ｓｅｌｅｃｔｅｄ＿ｔｕｎｅｒの値が‘Ａ１’となったとする。すると、地上アナログ放送用チューナ第二電源投入部（１５０２）においては、まず変数ｓｅｌｅｃｔｅｄ＿ｔｕｎｅｒの値が‘Ａ１’であるかそれ以外の値であるかをチェックする。変数ｓｅｌｅｃｔｅｄ＿ｔｕｎｅｒの値が‘Ａ１’である場合には地上アナログ放送用チューナの電源を投入する。また、変数ｓｅｌｅｃｔｅｄ＿ｔｕｎｅｒの値が‘Ａ１’以外の値である場合には処理を行なわないこととなる。また、地上アナログ放送用チューナ第二電源投入部はこのような処理をＣＰＵに実行させるためのプログラムを含んでいてもよい。
【００４９】
（実施形態４：処理の流れ）図１６は、本実施形態に係るＡＶ装置における処理の流れを示すフロー図を例示する。
【００５０】
最初に、ステップＳ１６０１において利用者が利用するチューナの選択を受付ける。この処理は、主に選択受付部によって実行される。次に、ステップＳ１６０２において選択されたチューナは地上アナログ放送用チューナであるか判断する。ここでの判断が地上アナログ放送用チューナであるとの判断結果であった場合にはステップＳ１６０３に移行する。ここでの判断が地上アナログ放送用チューナではないとの判断であった場合には処理を終了する。次に、ステップＳ１６０３において地上アナログ放送用チューナの電源を投入する。この処理は、主に地上アナログ放送用チューナ第二電源投入部によって実行される。次に、ステップＳ１６０４において地上アナログ放送用チューナが最後に利用されてからの経過時間が所定時間以上であるか判断する。ここでの判断が所定時間以上であるとの判断結果であった場合にはステップＳ１６０５に移行する。ここでの判断が所定時間以上ではないとの判断であった場合には処理を終了する。この処理は、主に判断部によって実行される。次に、ステップＳ１６０５において所定のメッセージを出力する。この処理は、主にメッセージ出力部によって実行される。
【００５１】
（実施形態４：効果）本実施形態に係るＡＶ装置は、選択受付部にて地上アナログ放送用チューナを選択する入力が利用者によってなされた場合には、自動的に地上アナログ放送用チューナの電源が投入されるため、利用者が手動で地上アナログ放送用チューナの電源を入れる手間が省ける。
（実施形態５）
【００５２】
（実施形態５：概要）本実施形態は、選択受付部において利用者によって地上アナログ放送用チューナを選択する入力がなされたことにより自動的に地上アナログ放送用チューナの電源が投入された場合であって、さらに出力されたメッセージに応じて地上アナログ放送用チューナを選択しないとの入力が利用者によってなされた場合には、地上アナログ放送用チューナの電源を切断することを特徴とするＡＶ装置について説明する。
【００５３】
（実施形態５：構成）本実施形態に係るＡＶ装置の機能ブロック図を図１７に例示する。ＡＶ装置（１７００）は、「地上アナログ放送用チューナ」（１７０１）と、「他の放送用チューナ」（１７０２）と、「選択受付部」（１７０３）と、「判断部」（１７０４）と、「メッセージ出力部」（１７０５）と、「適否受付部」（１７０７）と、「地上アナログ放送用チューナ第二電源投入部」（１７０９）と、「地上アナログ放送用チューナ第一電源切断部」（１７１０）と、を有する。また、メッセージ出力部（１７０５）は「適否確認メッセージ出力手段」（１７０６）を有する。「地上アナログ放送用チューナ第一電源切断部」（１７１０）以外の構成要件については実施形態４と同様であるので、詳細な説明は省略する。
【００５４】
「地上アナログ放送用チューナ第一電源切断部」（１７１０）は、適否確認メッセージ出力手段から出力されるメッセージに応じて利用者が地上アナログ放送用チューナを選択することを否とする入力を適否受付部が受付けた場合には、地上アナログ放送用チューナの電源を切断する機能を有する。「利用者が地上アナログ放送用チューナを選択することを否とする入力を適否受付部が受付けた」とは、利用者が地上アナログ放送用チューナを選択しないとの入力を行なった場合を意味し、例えば図８に例示した適否確認メッセージにおいて「いいえ」が選択された場合等である。また、この際、変数ｓｅｌｅｃｔ＿ｆｌａｇの値が‘０’に変更される。すなわち、地上アナログ放送用チューナ第一電源切断部は、変数ｓｅｌｅｃｔ＿ｆｌａｇの値が‘０’に変更されたことをトリガーとして、地上アナログ放送用チューナの電源を切断する。
【００５５】
図１８は、地上アナログ放送用チューナ第一電源切断部における処理の具体例を示す。まず、適否受付部（１８０１）において変数ｓｅｌｅｃｔ＿ｆｌａｇの値が‘０’となったとする。すると、地上アナログ放送用チューナ第一電源切断部（１８０２）においては、まず変数ｓｅｌｅｃｔ＿ｆｌａｇの値が‘１’であるか‘０’であるかをチェックする。変数ｓｅｌｅｃｔ＿ｆｌａｇの値が‘１’である場合には処理を行なわない。また、変数ｓｅｌｅｃｔ＿ｆｌａｇの値が‘０’である場合には地上アナログ放送用チューナの電源を切断する。また、地上アナログ放送用チューナ第一電源切断部はこのような処理をＣＰＵに実行させるためのプログラムを含んでいてもよい。
【００５６】
（実施形態５：処理の流れ）図１９は、本実施形態に係るＡＶ装置における処理の流れを示すフロー図を例示する。
【００５７】
最初に、ステップＳ１９０１において利用者が利用するチューナの選択を受付ける。この処理は、主に選択受付部によって実行される。次に、ステップＳ１９０２において選択されたチューナは地上アナログ放送用チューナであるか判断する。ここでの判断が地上アナログ放送用チューナであるとの判断結果であった場合にはステップＳ１９０３に移行する。ここでの判断が地上アナログ放送用チューナではないとの判断であった場合には処理を終了する。次に、ステップＳ１９０３において地上アナログ放送用チューナの電源を投入する。この処理は、主に地上アナログ放送用チューナ第二電源投入部によって実行される。次に、ステップＳ１９０４において地上アナログ放送用チューナが最後に利用されてからの経過時間が所定時間以上であるか判断する。ここでの判断が所定時間以上であるとの判断結果であった場合にはステップＳ１９０５に移行する。ここでの判断が所定時間以上ではないとの判断であった場合には処理を終了する。この処理は、主に判断部によって実行される。次に、ステップＳ１９０５において地上アナログ放送用チューナを選択することの適否の確認入力を促すメッセージを出力する。この処理は、主に適否確認メッセージ出力手段によって実行される。次に、ステップＳ１９０６において適否確認メッセージに応じた入力を受付ける。この処理は、主に適否受付部によって実行される。次に、ステップＳ１９０７において地上アナログ放送用チューナを選択することを適とする入力が受付けられたかを判断する。ここでの判断が受付けたとの判断結果であった場合には処理を終了する。ここでの判断が受付けていないとの判断であった場合にはステップＳ１９０８に移行する。この処理は、主に地上アナログ放送用チューナ第一電源切断部によって実行される。次に、ステップＳ１９０８において地上アナログ放送用チューナの電源を切断する。この処理は、主に地上アナログ放送用チューナ第一電源切断部によって実行される。
【００５８】
（実施形態５：効果）本実施形態に係るＡＶ装置は、例えば地上アナログ放送の終了後に長期間に渡り地上アナログ放送用チューナを利用していなかったにもかかわらず、利用者が勘違い等により地上アナログ放送用チューナを選択して地上アナログ放送を視聴しようとした場合等に、適否確認メッセージを出力してから電源を切断することとなる。よって、利用者に対して地上アナログ放送が終了している等の注意を喚起することができ、さらには自動的に地上アナログ放送用チューナの電源が切断されることにより、利用者が電源を切断し忘れることによって電力が無駄となる等の不都合も解消される。
【図面の簡単な説明】
【００５９】
【図１】本発明の概念図
【図２】実施形態１に係るＡＶ装置の機能ブロック図
【図３】判断部における処理の具体例
【図４】メッセージ出力部における処理の具体例
【図５】メッセージ出力部において出力されるメッセージの一例図
【図６】実施形態１に係るＡＶ装置の処理の流れを示すフロー図
【図７】実施形態２に係るＡＶ装置の機能ブロック図
【図８】適否確認メッセージ出力手段において出力されるメッセージの一例図
【図９】適否受付部における処理の具体例
【図１０】実施形態２に係るＡＶ装置の処理の流れを示すフロー図
【図１１】実施形態３に係るＡＶ装置の機能ブロック図
【図１２】地上アナログ放送用チューナ第一電源投入部における処理の具体例
【図１３】実施形態３に係るＡＶ装置の処理の流れを示すフロー図
【図１４】実施形態４に係るＡＶ装置の機能ブロック図
【図１５】地上アナログ放送用チューナ第二電源投入部における処理の具体例
【図１６】実施形態４に係るＡＶ装置の処理の流れを示すフロー図
【図１７】実施形態５に係るＡＶ装置の機能ブロック図
【図１８】地上アナログ放送用チューナ第一電源切断部における処理の具体例
【図１９】実施形態５に係るＡＶ装置の処理の流れを示すフロー図
【図２０】一般的なコンピュータの構成を例示する図
【符号の説明】
【００６０】
０１００  ＡＶ装置
０１０１  地上アナログ放送用チューナ
０１０２  他の放送用チューナ
０１０３  選択受付部
０１０４  判断部
０１０５  メッセージ出力部
【図１】
2008035148.tif 000003
【図２】
2008035148.tif 000004
【図３】
2008035148.tif 000005
【図４】
2008035148.tif 000006
【図５】
2008035148.tif 000007
【図６】
2008035148.tif 000008
【図７】
2008035148.tif 000009
【図８】
2008035148.tif 000010
【図９】
2008035148.tif 000011
【図１０】
2008035148.tif 000012
【図１１】
2008035148.tif 000013
【図１２】
2008035148.tif 000014
【図１３】
2008035148.tif 000015
【図１４】
2008035148.tif 000016
【図１５】
2008035148.tif 000017
【図１６】
2008035148.tif 000018
【図１７】
2008035148.tif 000019
【図１８】
2008035148.tif 000020
【図１９】
2008035148.tif 000021
【図２０】
2008035148.tif 000022